(57)【要約】【課題】所望とするコンテンツのダウンロードに係る通信費を要せず、個人情報の流出のおそれもなくす。【解決手段】あらかじめＡＴＭ１の記憶部１７に配信可能なコンテンツを格納して置き、ＡＴＭ１の認証機能や振込み機能を利用してＡＴＭ１から携帯端末３に所望のコンテンツを直接配信できるようにした。或いは、さらにあらかじめ利用可能な機種情報をＡＴＭ１の記憶部１７に格納するようにして置き、コンテンツのダウンロードの際に所望の機種を設定できるようにした。【選択図】図１
2008129670.tif 000002
【特許請求の範囲】
【請求項１】
配信業者サーバから配信可能なコンテンツを取得して格納する記憶手段と、
顧客を認証する認証手段と、
現金の振り込みを行う振込み手段とを有する現金自動預払機であって、
前記記憶手段のコンテンツから、所望とするコンテンツを携帯端末に配信できるようにしたことを特徴とする現金自動預払機。
【請求項２】
前記現金自動預払機の記憶手段は、コンテンツごとに利用可能な機種情報を格納可能とし、
コンテンツのダウンロードの際に、所望とする前記携帯端末の機種を設定できるようにしたことを特徴とする請求項１記載の現金自動預払機。
【請求項３】
所望とされるコンテンツを配信する配信業者サーバと、
請求項１または請求項２記載の現金自動預払機と、
前記所望とするコンテンツをダウンロードして利用する携帯端末とから構成され、
前記現金自動預払機から前記所望とするコンテンツをダウンロードして利用できるようにしたことを特徴とするコンテンツ配信システム。
【請求項４】
あらかじめ配信業者サーバから配信可能なコンテンツを取得して現金自動預払機の記憶手段部に格納して置き、当該現金自動預払機の認証手段および振込手段を利用して当該現金自動預払機から携帯端末に所望のコンテンツを直接配信できるようにしたことを特徴とするコンテンツ配信方法。
【請求項５】
あらかじめ配信業者サーバからコンテンツごとに利用可能な機種情報を取得して現金自動預払機の記憶手段に格納して置き、コンテンツのダウンロードの際に所望の機種を設定することができるようにしたことを特徴とするコンテンツ配信方法。
【発明の詳細な説明】
【技術分野】
【０００１】
本発明は、携帯端末へのコンテンツダウンロードサービスを提供するシステムに関する。
【背景技術】
【０００２】
近年、画像や楽曲などのコンテンツ配信業者がホームページを開設し、当該ホームページからＰＣや携帯電話或いはゲーム機等の携帯端末にて、所望とするコンテンツをダウンロードして携帯端末にて画像を見たり、音楽等を聞いて楽しんだりすることができるサービスが実用化され、多くの利用者がこれを利用している（例えば、特許文献１および特許文献２参照）。
【０００３】
この従来のコンテンツ配信システムの構成を図２０に示す。従来のシステムは、同図に示したように、ホストセンタ２０に配置されコンテンツを配信する配信業者サーバ２と、これを利用する携帯電話３ｐやゲーム機３ｇの携帯端末３を用いて自宅３０からインターネット６や公衆回線７を介して接続し、携帯端末３の操作により配信業者サーバ２が開設したホームページ等を参照し、所望とする画像や楽曲などのコンテンツを選択してダウンロードし携帯端末３のメモリに格納して利用するようになっている。
【０００４】
このとき、それぞれのダウンロードの際に、クレジットカード決裁などにより代金の支払いを行い、確実な取引を実現するために、クレジットカードの番号・有効期限、顧客の氏名や生年月日、さらにはメールアドレスなどの個人情報を登録させるのが一般的である。
【特許文献１】特開２００２−３３４１６２号公報
【特許文献２】特開２００２−２４５２６３号公報
【発明の開示】
【発明が解決しようとする課題】
【０００５】
しかしながら、従来のサービスでは、例えば携帯電話を利用した場合では数曲ダウンロードすると千円以上の通信費がかかり、また汎用の携帯端末によりインターネットを用いたダウンロードの場合では、個人情報の流出などのおそれがあり、利用者の利用の妨げになっていた。
【課題を解決するための手段】
【０００６】
本発明は、前述の課題を解決するために次の手段を採用する。すなわち、あらかじめ配信業者サーバから配信可能なコンテンツを取得して現金自動預払機の記憶手段部に格納して置き、当該現金自動預払機の認証手段および振込手段を利用して当該現金自動預払機から携帯端末に所望のコンテンツを直接配信できるようにした。
【発明の効果】
【０００７】
本発明のコンテンツ配信システムによれば、あらかじめ配信業者サーバから配信可能なコンテンツを取得して現金自動預払機の記憶手段部に格納して置き、当該現金自動預払機の認証手段および振込手段を利用して当該現金自動預払機から携帯端末に所望のコンテンツを直接配信できるようにしたので、ダウンロードに係る通信料の削減が可能となるとともに個人情報が流出することのない、経済的かつ安全なコンテンツ配信システムを提供することができる。
【発明を実施するための最良の形態】
【０００８】
以下、本発明に係る実施の形態例を、図面を用いて説明する。なお、図面に共通する要素には同一の符号を付す。
【実施例１】
【０００９】
（構成）
図１は、実施例１のコンテンツ配信システムの構成を示した図であり、同図に示したように、実施例１のコンテンツ配信システムは、コンテンツを配信するサービスを提供する配信業者のサーバ２と、顧客の認証、現金の入出金、振込み等の取引を行うＡＴＭ１と、コンテンツの配信を利用する携帯電話３ｐやゲーム機３ｇ等の携帯端末３からなり、配信業者サーバ２とＡＴＭ１とが、専用回線８により接続され、ＡＴＭ１と携帯端末３が赤外線通信やＵＳＢ等の汎用インタフェースにより接続される構成となっている。勿論、従来技術のように、携帯端末３をインターネット６や公衆回線７を介して接続することも可能な構成となっている。
【００１０】
なお、配信業者サーバ２はホストセンタ２０に配置され、携帯電話３ｐやゲーム機３ｇ等の携帯端末３は自宅３０に配置される。
【００１１】
実施例１のＡＴＭ１は、図２の制御ブロック図に示したように、上位ホスト１６との専用回線８による通信制御を行う通信部１２と、顧客への操作案内や操作を行うタッチパネルおよびＬＣＤからなる操作部１３と、携帯端末３との通信を行う赤外線送受信部１４、顧客のカードの磁気ストライプなどを読み取るカード読取部１５、コンテンツ等を記憶する記憶部１７と、これら各部を制御する制御部１１とから構成される。
【００１２】
なお、上位ホスト１６は、配信業者サーバ２や、支払い処理を行うための銀行やクレジットカード会社のホストセンタに設置されるホストであり、これらが通信部１２を介して接続される構成となっている。また、ＡＴＭ１の記憶部１７は比較的安価で大容量化が容易なハードディスクで構成するのがよいが、不揮発性メモリであればフラッシュメモリなどの記憶装置でも勿論よい。
【００１３】
また、携帯端末３は、図３に示したように、インターネット６や公衆回線２６との通信制御を行う通信部２２と、顧客が携帯端末３の操作を行う操作部２３と、ＡＴＭ１との通信を行う赤外線送受信部２４と、ホスト１６からダウンロードした画像、楽曲等のコンテンツを格納する記憶部２５から構成される。
【００１４】
なお、携帯端末３の記憶部２５は、ポータブル性重視のため、軽量化が容易なフラッシュメモリ等で構成するのがよいが、小型のハードディスクなどで構成しても勿論よい。
【００１５】
（動作）
以上の構成により、実施例１のコンテンツ配信システムは、以下のように動作する。なお、便宜上、配信業者サーバ２の動作ステップをＳＨで、ＡＴＭ１の動作ステップをＳＡで、携帯電話３ｐやゲーム機３ｇ等の携帯端末３の動作をＳＲで表示する。また、ＡＴＭ１の操作画面をＧＡ、携帯端末３の画面をＧＲで表示する。
【００１６】
（コンテンツ格納動作；保守モード）
まず、適時に配信業者サーバ２からＡＴＭ１にコンテンツを配信しＡＴＭ１に格納するコンテンツ格納動作を図４の動作フローチャートおよび図６ないし図８の画面例を用いて説明する。
【００１７】
最初に、保守員が保守作業を行う現金補充取引や精査取引や配信するコンテンツ種別を選択する図６（画面例ＧＡ１）に示したような選択画面をＡＴＭ１の操作部１３に表示し、保守員がコンテンツ取得取引を選択すると、図７（画面例ＧＡ２）に示したようなＡＴＭ１に配信可能な楽曲、静止画、動画、小説等のコンテンツ種別を選択する画面を表示する（ステップＳＡ１）。
【００１８】
そして、保守員は、図７（画面例ＧＡ２）を参照し、配信してもらうコンテンツ種別として例えば楽曲を選択すると、図８（画面例ＧＡ３）のようなＡＴＭ１の認証コードを入力する画面を表示し、認証コードを入力させる。すると、ＡＴＭ１は、選択されたコンテンツ種別およびＡＴＭ１の認証コードを配信業者サーバ２に送信する（ステップＳＡ２）。
【００１９】
すると、配信業者サーバ２は、ＡＴＭ１から送信されてきた認証コードが正当かどうかの認証を行い、配信可能なＡＴＭ１であることを確認すると（ステッＳＨ１）、送信要求されたコンテンツ種別のデータの送信を開始する（ステップＳＨ２）。このとき、それぞれのコンテンツの利用可能期間の情報も付加して送信するようにし、期間を限定した利用とするようにしてもよい。
【００２０】
すると、ＡＴＭ１は、配信業者サーバ２より送信されて来たコンテンツ種別のデータをＡＴＭ１内の記憶部１７に順次格納する（ステップＳＡ３）。このとき、楽曲の場合であれば、ジャンル別によるインデックステーブル、歌手名によるインデックステーブル、曲名によるインデックステーブルを作成し、楽曲データと対応付けて格納するようにするのがよい。
【００２１】
（コンテンツ配信動作）
次に、ＡＴＭ１より携帯端末３へ所望とされるコンテンツを配信する動作について図５の動作フローチャートおよび図９ないし図１４の操作画面例を用いて説明する。
【００２２】
まず、楽曲等のコンテンツのダウンロードを希望する顧客がＡＴＭ１に近づくと、通常の取引である残高照会や入出金取引、振込取引とともにコンテンツの購入取引のいずれかを選択させる図９（画面例ＧＡ１１）のような取引種別選択画面を表示する（ステップＳＡ１１）。すると、顧客は、楽曲等のコンテンツのダウンロードを希望する顧客であるので、コンテンツの購入を選択する（ステップＳＡ１２）。
【００２３】
すると、コンテンツを購入することができる顧客（代金支払能力のある顧客）であるかどうかの認証を行う必要があるために、通常の出金取引や振込取引を行う際の認証と同様の認証処理を行う。すなわち、キャッシュカードをＡＴＭ１の図示しないカード挿入口から挿入させ、図１０（画面例ＧＡ１２）のように暗証番号を入力させて認証を行う（ステップＳＡ１３）。
【００２４】
そして、認証が行われると、さらに詳細なコンテンツ選択画面として、音楽、着メロなどの楽曲、待受画面などに利用する静止画像、映画などの動画像、小説・漫画などからいずれかを選択する図１１（画面例ＧＡ１３）のような選択画面を表示し、顧客にいずれかを選択させる。
【００２５】
すると、配信可能なコンテンツ情報として、コンテンツの名称やサムネール画像、各価格情報等を、ＡＴＭ１の赤外線送受信部１４、携帯端末３の赤外線送受信部２４を介して携帯端末３に送信する（ステップＳＡ１４）。なお、赤外線送受信部１４、２４は、ＵＳＢ等の汎用インタフェースにより送受信するようにしても勿論よい。
【００２６】
前述の配信可能なコンテンツ情報を受信した携帯端末３は、図１２（画面例ＧＲ１１）に示したように、受信した前記コンテンツ情報を表示し、ジャンル、歌手名、曲名などの選択種別、所望とする曲名などの入力ボックス、コンテンツに応じた当該価格を表示する。そして、顧客が携帯端末３の図示しないキー操作により、価格などを参照しながら所望のコンテンツを選択し確定すると（ステップＳＲ１１）、図１３（画面例ＧＲ１２）に示したような振込先、振込額等を表示し、これを確認させる。
【００２７】
そして、顧客がこれを確認し図示しない携帯端末３の確認キーを押下すると、携帯端末３はＡＴＭ１に代金振込確認完了の旨を通知する。代金振込確認完了の旨を受信したＡＴＭ１は代金振込を行い、配信業者サーバ２に代金振込完了の旨を通知する。
【００２８】
前記代金振込確認完了を受信したＡＴＭ１は、すでに記憶部１７に格納してあるコンテンツデータより画像や曲名等のインデックステーブルを適宜参照しながら顧客が所望する楽曲データ等を携帯端末３に送信する（ステップＳＡ１５）。
【００２９】
これを受信した携帯端末３は、楽曲データ等を携帯端末３の記憶部２５に格納し（ステップＳＲ１３）、図１４（操作画面例ＧＲ１３）に示したようなコンテンツ格納完了のメッセージを表示し、処理を終了する。
【００３０】
一方、ＡＴＭ１はコンテンツ配信を終了して、配信業者サーバ２にコンテンツ送信履歴を送信すると、配信業者サーバ２は図示しない記憶部に代金領収情報として記録し、後日、例えば月ごと纏めた領収書の送付或いは顧客操作により参照可能なホームページに掲載したり、メールで送信したりするなどの処理を行う（ステップＳＨ１１）。
【００３１】
なお、以上の説明では、コンテンツ配信の都度、振込処理を行い、配信業者サーバ２にその旨通知するように説明したが、ＡＴＭ１にて複数のコンテンツの配信に係る費用を累積し、所定の期間ごとに配信業者サーバ２に累積費用の振込みを行うようにしてもよい。
【００３２】
また、ＡＴＭの利用促進のために、ＡＴＭを設置している銀行側がダウンロード料金を負担し、例えば通常の振込取引を所定の回数行った場合、無料で数個のコンテンツをダウンロードできるようなサービスを提供するようにすることもできるし、逆に、コンテンツの販売手数料として、ＡＴＭ所有者に所定の割合で手数料を引き落とすようにすることもできる。
【００３３】
（実施例１の効果）
以上のように、実施例１のコンテンツ配信システムによれば、あらかじめ配信業者サーバから配信可能なコンテンツを取得してＡＴＭの記憶手段部に格納して置き、ＡＴＭの認証手段および振込手段を利用してＡＴＭから携帯端末に所望のコンテンツを直接配信できるようにしたので、ダウンロードに係る通信料の削減が可能となるとともに個人情報が流出することのない、経済的かつ安全なコンテンツ配信システムを提供することができる。
【００３４】
また、ＡＴＭ内にあらかじめコンテンツを格納して置くようにしたので、配信業者サーバにアクセスする必要がなく、短時間に所望のコンテンツをダウンロードすることができる。
【実施例２】
【００３５】
（構成）
実施例２のコンテンツ配信システムの構成は、実施例１の構成と同様であるので、簡略化のためにその詳細な説明は省略する。なお、実施例２のコンテンツ配信システムの携帯端末３の構成も実施例１の構成と同様である。
【００３６】
（動作）
以上の構成により、実施例２のコンテンツ配信システムは、以下のように動作する。なお、便宜上、配信業者サーバ２の動作ステップをＳＨで、ＡＴＭ１の動作ステップをＳＡで、携帯電話３ｐやゲーム機３ｇ等の携帯端末３の動作をＳＲで表示し、ＡＴＭ１の操作画面をＧＡ、携帯端末３の画面をＧＲで表示するのは実施例１と同様である。
【００３７】
（コンテンツ格納動作；保守モード）
まず、適時に配信業者サーバ２からＡＴＭ１にコンテンツを配信しＡＴＭ１に格納するコンテンツ格納動作を図１５の動作フローチャートおよび図１７および図１８の操作画面例を用いて説明する。なお、配信するコンテンツ種別を選択しダウンロードする動作は実施例１と同様であるので、簡略化のためにその説明を省略する。
【００３８】
最初に、保守員等ＡＴＭ１の操作部１３にて補充取引等の取引種別を選択する図１７（画面例ＧＡ２１）のような選択画面を表示し、ダウンロードするコンテンツに係る利用機種情報の取得を選択すると（ステップＳＡ２１）、図１８（画面例ＧＡ２２）のようなＡＴＭ１の認証コードを入力する画面を表示し（ステップＳＡ２２）、保守員が認証コードを入力すると、選択されたコンテンツ種別に係る利用機種情報送信要求およびＡＴＭ１の認証コードを配信業者サーバ２に送信する。
【００３９】
すると、配信業者サーバ２は、ＡＴＭ１から送信されてきた認証コードを用いて認証を行い、配信可能なＡＴＭ１であると認証すると（ステップＳＨ２１）、送信要求されたコンテンツ種別に係る利用機種情報の送信を開始する（ステップＳＨ２２）。
【００４０】
すると、ＡＴＭ１は、配信業者サーバ２より送信されて来たコンテンツ種別に係る利用機種情報をＡＴＭ１内の記憶部１７に順次格納する（ステップＳＡ２３）。このとき、楽曲の場合であれば、曲ごとに利用可能な機種情報のテーブルを作成し、これらのデータとともに楽曲データを格納するのがよい。
【００４１】
（コンテンツ配信動作）
次に、携帯端末３へのダウンロードを行うコンテンツ配信動作について図１６の動作フローチャートおよび図１９の操作画面例を用いて説明する。
【００４２】
なお、コンテンツダウンロードの際のＡＴＭ１のステップＳＡ３１〜ＳＡ３４は実施例１のステップＳＡ１１〜ＳＡ１４と同様であり、操作画面例も実施例１の図９ないし図１１と同様であり、このときの携帯端末３のステップＳＲ３１〜ＳＲ３３は実施例１のステップＳＲ１１〜ＳＲ１３と同様であり、操作画面例も実施例１の図１２ないし図１４と同様となる。
【００４３】
まず、楽曲等のコンテンツのダウンロードを希望する顧客は、ＡＴＭ１に近づき操作画面に表示される取引種別選択画面を見て、コンテンツの購入を選択し、通常の支払いや振込み取引と同様、キャッシュカードをＡＴＭ１の図示しないカード挿入口から挿入させ、暗証番号を入力させて認証を行う（ステップＳＡ３１〜ＳＡ３３）。
【００４４】
そして、認証が行われると、さらに詳細なコンテンツ選択画面を表示し、顧客にいずれかを選択させ、当該選択されたコンテンツ情報として、コンテンツの名称や価格情報を、ＡＴＭ１の赤外線送受信部１４、携帯端末３の赤外線送受信部２４を介して携帯端末３に送信する（ステップＳＡ３４）。なお、前記赤外線送受信部１４および２４は、ＵＳＢ等の汎用インタフェースにより送受信するようにしてもよいことは実施例１と同様である。
【００４５】
前述の配信可能なコンテンツ情報を受信した携帯端末３は、受信した前記コンテンツ情報を表示し、所望とする曲などを、当該価格を参照しながら選択し、携帯端末３の確定キーを押下すると（ステップＳＲ３１）、選択確定の旨をＡＴＭ１に通知し、これを受信したＡＴＭ１は、当該コンテンツの利用可能機種情報を記憶部１７より抽出し、図１９（操作画面ＧＡ３３）に示したようにＡＴＭ１の操作部１３に表示し、顧客に所望とする利用機種を選択させる（ステップＳＡ３５）。
【００４６】
この場合、顧客が機種を選択できないときは、ＡＴＭ１に接続された機種との通信により利用機種が自動的に選択される設定も可能なようにしておくとよい。なお、当然のことではあるが、所望とする機種を選択する際、違法コピーを行うことができる機種はあらかじめ除外して置くようにすべきである。
【００４７】
ＡＴＭ１にて利用機種の選択が行われると、その旨携帯端末３に通知し、これを受信する携帯端末３は、振込み先、振込み額を表示し、これを顧客に確認させ、図示しない携帯端末３の確認キーが押下されると、ＡＴＭ１にその旨通知し、これを受信したＡＴＭ１は、配信業者サーバ２に振込み情報を送信する（ステップＳＲ３２）。
【００４８】
前記振込み確認を受信したＡＴＭ１は、すでに記憶部１７に格納してあるコンテンツデータよりインデックステーブルを適宜参照し顧客が所望するコンテンツデータを携帯端末３に送信し、これを携帯端末３の記憶部２５に格納し、コンテンツの格納完了メッセージを表示して処理を終了する（ステップＳＲ３３）。
【００４９】
一方、ＡＴＭ１はコンテンツ配信を終了して、配信業者サーバ２にコンテンツ送信履歴を送信すると、配信業者サーバ２は図示しない記憶部に代金領収情報として記録し、後日、例えば月ごと纏めた領収書の送付或いは顧客操作により参照可能なホームページに掲載したり、メールで送信したりするなどの処理を行う（ステップＳＨ３１）。
【００５０】
なお、以上の説明では、コンテンツ配信の都度、振込み処理を行い、配信業者サーバ２にその旨通知するように説明したが、ＡＴＭにて複数のコンテンツの配信に係る費用を累積し、所定の期間ごとに配信業者サーバ２に累積費用の振込みを行うようにしてもよいことが実施例１と同様である。
【００５１】
また、ＡＴＭの利用促進のために、ＡＴＭを設置している銀行側がダウンロード料金を負担し、例えば通常の振込取引を所定の回数行った場合、無料で数個のコンテンツをダウンロードできるようなサービスを提供するようにすることもできるし、逆に、コンテンツの販売手数料として、ＡＴＭ所有者に所定の割合で手数料を引き落とすようにすることもできることも実施例１と同様である。
【００５２】
（実施例２の効果）
以上のように、実施例２のコンテンツ配信システムによれば、コンテンツを利用できる機種情報をあらかじめ配信業者サーバから入手しＡＴＭ内の記憶部に格納して置き、ダウンロードの際に顧客が所望とする機種を選択できるようにしたので、実施例１の効果に加え、顧客が所望とする機種にコンテンツを格納することができる。
【００５３】
また、ＡＴＭ内にあらかじめコンテンツやコンテンツを利用できる機種情報を格納して置くようにしたので、配信業者サーバにアクセスする必要がなく、短時間に所望のコンテンツのダウンロードおよび所望とする機種の選択を行うことができる。
【産業上の利用可能性】
【００５４】
本発明は、ポータブル機器等へのコンテンツダウンロードサービス提供システムに幅広く用いることができる。
【図面の簡単な説明】
【００５５】
【図１】実施例１のコンテンツ配信システムの構成である。
【図２】実施例１のＡＴＭの制御ブロック図である。
【図３】実施例１の携帯端末の制御ブロック図である。
【図４】実施例１のコンテンツ配信システムの動作フローチャートである。
【図５】実施例１のコンテンツ配信システムの動作フローチャートである。
【図６】実施例１の保守モードの取引選択画面例（ＡＴＭ側）である。
【図７】実施例１の保守モードの取引選択画面例（ＡＴＭ側）である。
【図８】実施例１の保守モードの取引選択画面例（ＡＴＭ側）である。
【図９】実施例１の取引選択画面例（ＡＴＭ側）である。
【図１０】実施例１のコンテンツダウン選択画面例（ＡＴＭ側）である。
【図１１】実施例１のコンテンツダウン選択画面例（ＡＴＭ側）である。
【図１２】実施例１の操作画面例（携帯側）である。
【図１３】実施例１の操作画面例（携帯側）である。
【図１４】実施例１の操作画面例（携帯側）である。
【図１５】実施例２のコンテンツ配信システムの動作フローチャートである。
【図１６】実施例２のコンテンツ配信システムの動作フローチャートである。
【図１７】実施例２の取引選択画面例（ＡＴＭ側）である。
【図１８】実施例２の取引選択画面例（ＡＴＭ側）である。
【図１９】実施例２のコンテンツ利用機種選択画面例（ＡＴＭ側）である。
【図２０】従来のコンテンツ配信システムの構成である。
【符号の説明】
【００５６】
１    現金自動預払機（ＡＴＭ）
２    配信業者サーバ
３    携帯端末
３ｐ  携帯電話
３ｇ  ゲーム機
６    インターネット
７    公衆回線
８    専用回線
１１、２１  制御部
１２、２２  通信部
１３、２３  操作部
１４、２４  赤外線送受信部
１７、２５  記憶部
１０  営業店・出張所
２０  ホストセンタ
３０  自宅
【図１】
2008129670.tif 000003
【図２】
2008129670.tif 000004
【図３】
2008129670.tif 000005
【図４】
2008129670.tif 000006
【図５】
2008129670.tif 000007
【図６】
2008129670.tif 000008
【図７】
2008129670.tif 000009
【図８】
2008129670.tif 000010
【図９】
2008129670.tif 000011
【図１０】
2008129670.tif 000012
【図１１】
2008129670.tif 000013
【図１２】
2008129670.tif 000014
【図１３】
2008129670.tif 000015
【図１４】
2008129670.tif 000016
【図１５】
2008129670.tif 000017
【図１６】
2008129670.tif 000018
【図１７】
2008129670.tif 000019
【図１８】
2008129670.tif 000020
【図１９】
2008129670.tif 000021
【図２０】
2008129670.tif 000022